(57)【要約】【課題】印刷ジョブにページの結合を行う場合に、結合された条件に応じて、結合後のページに適切な印刷設定を行うことができる印刷ジョブ結合方法を提供する。【解決手段】本発明の印刷ジョブ結合方法は、第１印刷ジョブに、第１印刷ジョブと異なる第２印刷ジョブに含まれる印刷ページの少なくとも一部を結合ページとして結合する結合ステップ（Ｓ１０９）と、第１印刷ジョブを印刷する第１印刷装置の装置情報、第２印刷ジョブの印刷設定および印刷状況の少なくとも一方を含む印刷情報、並びに第２印刷ジョブの保存先を示す保存情報の少なくとも一つに基づいて、結合ページの出力に使用する結合ページ用給紙トレイを、自動的に設定する設定ステップ（Ｓ１１２）と、を有する。【選択図】図１１
2015043161.tif 000002
【特許請求の範囲】
【請求項１】
第１印刷ジョブに、前記第１印刷ジョブと異なる第２印刷ジョブに含まれる印刷ページの少なくとも一部を結合ページとして結合する結合ステップと、
前記第１印刷ジョブを印刷する第１印刷装置の装置情報、前記第２印刷ジョブの印刷設定および印刷状況の少なくとも一方を含む印刷情報、並びに前記第２印刷ジョブの保存先を示す保存情報の少なくとも一つに基づいて、前記結合ページの出力に使用する前記第１印刷装置の結合ページ用給紙トレイを、自動的に設定する設定ステップと、
を有する印刷ジョブ結合方法。
【請求項２】
前記設定ステップは、保存情報に基づいて、前記第１印刷装置と異なる第２印刷装置に保存されている場合、前記結合ページの出力物を収納した差し込み印刷用トレイを前記結合ページ用給紙トレイとして設定する請求項１に記載の印刷ジョブ結合方法。
【請求項３】
前記設定ステップは、前記装置情報に基づいて、前記第１印刷装置に前記結合ページの出力物を収納する差し込み印刷用トレイが装着されているか否かを判断し、装着されている場合は、前記差し込み印刷用トレイを前記結合ページ用給紙トレイとして設定し、装着されていない場合は、前記第１印刷ジョブに設定されておらず、前記結合ページの出力物が収納された給紙トレイを前記結合ページ用給紙トレイとして設定する請求項２に記載の印刷ジョブ結合方法。
【請求項４】
前記設定ステップは、前記印刷情報に基づいて、前記第２印刷ジョブが既に印刷済であるか否かを判断し、印刷済である場合は、前記結合ページの出力物を収納した差し込み印刷用トレイを前記結合ページ用給紙トレイとして設定し、印刷済でない場合は、前記第１印刷ジョブに設定された給紙トレイを前記結合ページ用給紙トレイとして設定する請求項１〜３のいずれか一項に記載の印刷ジョブ結合方法。
【請求項５】
前記第１印刷装置がモノクロ印刷用であり、
前記設定ステップは、前記印刷情報に基づいて、前記結合ページがカラーページであるか否かを判断し、カラーページである場合は、前記結合ページの出力物を収納した差し込み印刷用トレイを前記結合ページ用給紙トレイをとして設定し、カラーページでない場合は、前記第１印刷ジョブと同じ給紙トレイを前記結合ページ用給紙トレイとして設定する請求項１〜４のいずれか一項に記載の印刷ジョブ結合方法。
【請求項６】
前記設定ステップは、前記印刷情報に基づいて、前記結合ページがくるみ製本用のサイズであるか否かを判断し、くるみ製本用のサイズである場合は、印刷物の束をくるんで製本するくるみ製本を行う際に表紙となる用紙が収納されるくるみ製本用トレイを前記結合ページ用給紙トレイとして設定し、くるみ製本用のサイズでない場合は、前記結合ページの出力物を収納した差し込み印刷用トレイを前記結合ページ用給紙トレイとして設定する請求項１〜５のいずれか一項に記載の印刷ジョブ結合方法。
【請求項７】
前記結合ページのサムネイル情報を取得し、前記第１印刷ジョブの各ページのサムネイルと前記印刷ページのサムネイルとをあわせて出力するサムネイル統合ステップをさらに有する請求項１〜６のいずれか一項に記載の印刷ジョブ結合方法。
【請求項８】
第１印刷ジョブに、前記第１印刷ジョブと異なる第２印刷ジョブに含まれる印刷ページの少なくとも一部を結合ページとして結合する結合部と、
前記第１印刷ジョブを印刷する第１印刷装置の装置情報、前記第２印刷ジョブの印刷設定および印刷状況の少なくとも一方を含む印刷情報、並びに前記第２印刷ジョブの保存先を示す保存情報の少なくとも一つに基づいて、前記結合ページの出力に使用する結合ページ用給紙トレイを、自動的に設定する設定部と、
を有する印刷ジョブ結合装置。
【請求項９】
第１印刷ジョブに、前記第１印刷ジョブと異なる第２印刷ジョブに含まれる印刷ページの少なくとも一部を結合ページとして結合する結合ステップと、
前記第１印刷ジョブを印刷する第１印刷装置の装置情報、前記第２印刷ジョブの印刷設定および印刷状況の少なくとも一方を含む印刷情報、並びに前記第２印刷ジョブの保存先を示す保存情報の少なくとも一つに基づいて、前記結合ページの出力に使用する結合ページ用給紙トレイを、自動的に設定する設定ステップと、
をコンピューターに実行させる印刷ジョブ結合プログラム。
【請求項１０】
請求項９に記載の印刷ジョブ結合プログラムを記録したコンピューター読み取り可能な記録媒体。
【発明の詳細な説明】
【技術分野】
【０００１】
本発明は、印刷ジョブ結合方法、印刷ジョブ結合装置、印刷ジョブ結合プログラムおよび記録媒体に関する。
【背景技術】
【０００２】
近年、プロダクション印刷の市場が拡大している。プロダクション印刷においては、印刷装置の記憶部に印刷ジョブを保存し、ネットワーク接続されたユーザー端末上で、保存した印刷ジョブを編集することが一般的によく行われている。クライアント端末のディスプレイ上には、印刷ジョブの各ページの縮小画像であるサムネイル等が表示される。ユーザーはクライアント端末のディスプレイを見ながら、ページの内容修正やページの入れ替えといった編集を行うことができる。
【０００３】
印刷ジョブを編集する方法として、保存した一の印刷ジョブ（以下、親ジョブという）に、他の印刷ジョブ（以下、子ジョブという）に含まれるページを結合して、新たな印刷ジョブとして生成する技術も知られている（たとえば、特許文献１参照）。子ジョブに含まれるページを結合する際に、親ジョブの印刷設定と結合されるページ（以下、結合ページという）の印刷設定とを、新たな印刷ジョブに引き継ぐこともできる。これにより、ページの結合を行った後に、ユーザーがそれぞれのページについて改めて印刷設定を行う手間を省くことができる。
【先行技術文献】
【特許文献】
【０００４】
【特許文献１】特開２０１１−７８０３８
【発明の概要】
【発明が解決しようとする課題】
【０００５】
しかしながら、上記の技術においては、結合ページに元々設定されていた印刷設定を引き継ぐことはできるが、ページの結合後における適切な印刷設定については考慮されない。そのため、ページの結合後に、ユーザーが印刷設定をやり直さなければならない場合がある。
【０００６】
たとえば、予め印刷しておいたページを専用の給紙トレイにセットし、印刷物に差し込みながら印刷を行う差し込みページ印刷という技術がある。差し込みページ印刷を行うためには、差し込みページ印刷を行うページの印刷設定において、差し込みページ印刷用の給紙トレイを使用するように、給紙トレイを設定する必要がある。
【０００７】
ここで、他の印刷装置に保存された子ジョブに含まれるページを、親ジョブに結合する場合を考える。この場合、ユーザーは、結合ページの印刷自体は他の印刷装置で行い、結合ページの印刷物を差し込みページ印刷によって親ジョブによる印刷物に挟み込んで印刷物を完成させたいと考えていることが想定される。しかし、上記の技術においては、結合ページは、他の印刷装置において通常どおり印刷される印刷設定になっており、結合された後も、その印刷設定は引き継がれている。したがって、当該ページについて差し込みページ印刷を行うためには、ユーザーが各ページについて個別に差し込みページ印刷を行うための設定に修正する必要がある。これでは、ユーザーの作業負荷が大きい。
【０００８】
本発明は、上記事情に鑑みてなされたものであり、印刷ジョブにページの結合を行う場合に、結合された条件に応じて、結合後のページに適切な印刷設定を行うことができる印刷ジョブ結合方法、印刷ジョブ結合装置、印刷ジョブ結合プログラムおよび記録媒体を提供することを目的とする。
【課題を解決するための手段】
【０００９】
上記目的は、下記の手段によって達成される。
【００１０】
（１）第１印刷ジョブに、前記第１印刷ジョブと異なる第２印刷ジョブに含まれる印刷ページの少なくとも一部を結合ページとして結合する結合ステップと、前記第１印刷ジョブを印刷する第１印刷装置の装置情報、前記第２印刷ジョブの印刷設定および印刷状況の少なくとも一方を含む印刷情報、並びに前記第２印刷ジョブの保存先を示す保存情報の少なくとも一つに基づいて、前記結合ページの出力に使用する結合ページ用給紙トレイを、自動的に設定する設定ステップと、を有する印刷ジョブ結合方法。
【００１１】
（２）前記設定ステップは、保存情報に基づいて、前記第１印刷装置と異なる第２印刷装置に保存されている場合、前記結合ページの出力物を収納した差し込み印刷用トレイを前記結合ページ用給紙トレイとして設定する上記（１）に記載の印刷ジョブ結合方法。
【００１２】
（３）前記設定ステップは、前記装置情報に基づいて、前記第１印刷装置に前記結合ページの出力物を収納する差し込み印刷用トレイが装着されているか否かを判断し、装着されている場合は、前記差し込み印刷用トレイを前記結合ページ用給紙トレイとして設定し、装着されていない場合は、前記第１印刷ジョブに設定されておらず、前記結合ページの出力物が収納された前記第１印刷装置の給紙トレイを前記結合ページ用給紙トレイとして設定する上記（２）に記載の印刷ジョブ結合方法。
【００１３】
（４）前記設定ステップは、前記印刷情報に基づいて、前記第２印刷ジョブが既に印刷済であるか否かを判断し、印刷済である場合は、前記結合ページの出力物を収納した差し込み印刷用トレイを前記結合ページ用給紙トレイとして設定し、印刷済でない場合は、前記第１印刷ジョブに設定された給紙トレイを前記結合ページ用給紙トレイとして設定する上記（１）〜（３）のいずれか一つに記載の印刷ジョブ結合方法。
【００１４】
（５）前記設定ステップは、前記印刷情報に基づいて、前記結合ページがカラーページであるか否かを判断し、カラーページである場合は、前記結合ページの出力物を収納した差し込み印刷用トレイを前記結合ページ用給紙トレイをとして設定し、カラーページでない場合は、前記第１印刷ジョブと同じ給紙トレイを前記結合ページ用給紙トレイとして設定する上記（１）〜（４）のいずれか一つに記載の印刷ジョブ結合方法。
【００１５】
（６）前記設定ステップは、前記印刷情報に基づいて、前記結合ページがくるみ製本用のサイズであるか否かを判断し、くるみ製本用のサイズである場合は、印刷物の束をくるんで製本するくるみ製本を行う際に表紙となる用紙が収納されるくるみ製本用トレイを前記結合ページ用給紙トレイとして設定し、くるみ製本用のサイズでない場合は、前記結合ページの出力物を収納した差し込み印刷用トレイを前記結合ページ用給紙トレイとして設定する上記（１）〜（５）のいずれか一つに記載の印刷ジョブ結合方法。
【００１６】
（７）前記結合ページのサムネイル情報を取得し、前記第１印刷ジョブの各ページのサムネイルと前記印刷ページのサムネイルとをあわせて出力するサムネイル統合ステップをさらに有する上記（１）〜（６）のいずれか一つに記載の印刷ジョブ結合方法。
【００１７】
（８）第１印刷ジョブに、前記第１印刷ジョブと異なる第２印刷ジョブに含まれる印刷ページの少なくとも一部を結合ページとして結合する結合部と、前記第１印刷ジョブを印刷する第１印刷装置の装置情報、前記第２印刷ジョブの印刷設定および印刷状況の少なくとも一方を含む印刷情報、並びに前記第２印刷ジョブの保存先を示す保存情報の少なくとも一つに基づいて、前記結合ページの出力に使用する結合ページ用給紙トレイを、自動的に設定する設定部と、を有する印刷ジョブ結合装置。
【００１８】
（９）第１印刷ジョブに、前記第１印刷ジョブと異なる第２印刷ジョブに含まれる印刷ページの少なくとも一部を結合ページとして結合する結合ステップと、前記第１印刷ジョブを印刷する第１印刷装置の装置情報、前記第２印刷ジョブの印刷設定および印刷状況の少なくとも一方を含む印刷情報、並びに前記第２印刷ジョブの保存先を示す保存情報の少なくとも一つに基づいて、前記結合ページの出力に使用する結合ページ用給紙トレイを、自動的に設定する設定ステップと、をコンピューターに実行させる印刷ジョブ結合プログラム。
【００１９】
（１０）上記（９）に記載の印刷ジョブ結合プログラムを記録したコンピューター読み取り可能な記録媒体。
【発明の効果】
【００２０】
本発明の情報処理装置によれば、印刷装置の装置情報、子ジョブ印刷情報または保存情報に基づいて、結合ページの給紙トレイを自動的に設定する。したがって、ユーザーが結合ページの給紙トレイを手動で設定する作業負荷を軽減できる。
【図面の簡単な説明】
【００２１】
【図１】本発明の実施形態に係る印刷システムの概略構成図である。
【図２】図１に示される印刷装置の概略構成を示すブロック図である。
【図３】図１に示されるクライアント端末の概略構成を示すブロック図である。
【図４】第１実施形態のクライアント端末により実行される処理の流れを示すフローチャートである。
【図５】クライアント端末の表示部に表示されるメイン画面の一例を示す図である。
【図６】装置情報画面の一例を示す図である。
【図７】ページ編集画面の一例を示す図である。
【図８】ジョブリスト同時表示画面の一例を示す図である。
【図９】ページ結合画面の一例を示す図である。
【図１０】ページ結合指示が行われる様子を示す図である。
【図１１】第１実施形態に係るクライアント端末により実行される給紙トレイ設定処理の流れを示すフローチャートである。
【図１２】図１１のステップＳ１１１において表示されるページ結合設定ダイアログの一例を示す図である。
【図１３】図１１のステップＳ１１４において示されるサムネイル統合処理が行われる様子を示す図である。
【図１４】第２実施形態に係るクライアント端末により実行される給紙トレイ設定処理の流れを示すフローチャートである。
【図１５】第３実施形態に係るクライアント端末により実行される給紙トレイ設定処理の流れを示すフローチャートである。
【図１６】第４実施形態に係るクライアント端末により実行される給紙トレイ設定処理の流れを示すフローチャートである。
【図１７】第５実施形態に係るクライアント端末により実行される給紙トレイ設定処理の流れを示すフローチャートである。
【発明を実施するための形態】
【００２２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２３】
（第１実施形態）
図１は、本発明の実施形態に係る印刷システムの概略構成図である。
【００２４】
図１に示すように、印刷システムは、複数の印刷装置１と、クライアント端末２と、を備えている。印刷装置１およびクライアント端末２は、ネットワーク３を介して相互に通信可能に接続されている。
【００２５】
印刷装置１は、クライアント端末２から送信される印刷ジョブに基づいて、画像を形成する画像形成装置である。印刷装置１は、たとえば、コピー機能、プリンター機能およびスキャン機能を有するＭＦＰ（Ｍｕｌｔｉｐｌｅ  Ｆｕｎｃｔｉｏｎ  Ｐｅｒｉｐｈｅｒａｌ  多機能周辺機器）である。印刷装置１の詳細な構成は、後述する。
【００２６】
クライアント端末２は、ユーザーが使用するクライアントＰＣ（Ｐｅｒｓｏｎａｌ  Ｃｏｍｐｕｔｅｒ）や、携帯電話やＰＤＡ等の携帯端末である。クライアント端末２は、本体部、ディスプレイおよび入力装置を有するコンピューター装置によって構成される。クライアント端末２の詳細な構成は、後述する。
【００２７】
ネットワーク３は、イーサネット（登録商標）、ＦＤＤＩ（Ｆｉｂｅｒ  Ｄｉｓｔｒｉｂｕｔｅｄ  Ｄａｔａ  Ｉｎｔｅｒｆａｃｅ）、Ｗｉ−Ｆｉ（Ｗｉｒｅｌｅｓｓ  Ｆｉｄｅｌｉｔｙ）等の規格によりコンピューターやネットワーク機器同士を接続したＬＡＮ（Ｌｏｃａｌ  Ａｒｅａ  Ｎｅｔｗｏｒｋ）、あるいはＬＡＮ同士を専用線で接続したＷＡＮ（Ｗｉｄｅ  Ａｒｅａ  Ｎｅｔｗｏｒｋ）等からなる。なお、ネットワーク３に接続される機器の種類および台数は、図１に示す例に限定されない。
【００２８】
（印刷装置１）
図２は、図１に示される印刷装置の概略構成を示すブロック図である。
【００２９】
印刷装置１は、図２に示すように、ＣＰＵ１０、ＲＯＭ１１、ＲＡＭ１２、ハードディスク１３、ネットワークインターフェース１４、操作パネル部１５、ＲＩＰ（Ｒａｓｔｅｒ  Ｉｍａｇｅ  Ｐｒｏｃｅｓｓｉｎｇ）部１６、給紙部１７、印刷部１８および後処理部１９を有する。各構成は、バスを介して相互に通信可能に接続されている。
【００３０】
ＣＰＵ１０は、ＲＯＭ１１やハードディスク１３に記録されているプログラムにしたがって、上記各構成の制御や各種の演算処理を行う。ＣＰＵ１０は、たとえば、ネットワーク３経由で受信した印刷ジョブをハードディスク１３に保存する。また、ＣＰＵ１０は、保存した印刷ジョブをＲＡＭ１２に読み出し、ＲＩＰ部１６、給紙部１７、印刷部１８および後処理部１９を制御して印刷ジョブを印刷する。
【００３１】
ＲＯＭ１１は、各種プログラムや各種データを格納する。ＲＡＭ１２は、作業領域として一時的にプログラムやデータを記憶する。
【００３２】
ハードディスク１３は、オペレーティングシステム（ＯＳ）を含む各種プログラムや、各種データを格納する。ハードディスク１３には、受信した印刷ジョブを保存したり印刷したりするためのアプリケーションがインストールされている。ハードディスク１３には、印刷ジョブの印刷設定や印刷ジョブが印刷済であるか否かといった印刷状態を示す印刷情報が格納されている。
【００３３】
ネットワークインターフェース１４は、ネットワーク３を介し他の機器と通信するためのインターフェースであり、イーサネット（登録商標）、ＦＤＤＩ、Ｗｉ−Ｆｉ等の規格が用いられる。
【００３４】
操作パネル部１５は、ディスプレイ、タッチパネル、テンキー、スタートボタン、ストップボタン等を備えており、各種情報の表示および各種指示の入力に使用される。
【００３５】
ＲＩＰ部１６は、印刷ジョブに含まれる印刷データを解析してビットマップ形式の画像データに展開する。ＲＩＰ部１６は、集積回路やソフトウェアプログラムにより構成される。
【００３６】
給紙部１７は、印刷に使用する用紙を収容する。給紙部１７は、複数の給紙トレイを有しており、収容された用紙を１枚ずつ印刷部１８に送り出す。また給紙部１７は、差し込みページ印刷専用の給紙トレイであり、給紙オプションとして印刷装置１に装着されるＰＩ（Ｐｏｓｔ  Ｉｎｓｅｒｔｅｒ、Ｐａｇｅ  Ｉｎｓｅｒｔｅｒ）トレイも含む。差し込みページ印刷およびＰＩトレイについては、後述する。
【００３７】
印刷部１８は、電子写真式プロセス等の周知の作像プロセスを用いて、ＲＩＰ部１６において生成された画像データに基づく画像を用紙等の記録媒体に印刷する。
【００３８】
後処理部１９は、印刷部１８から搬送される用紙に対して所定の後処理を行う。後処理には、ステープル処理、パンチ処理および差し込みページ処理等が含まれる。ここで、差し込みページ処理とは、印刷部１８から出力されるページの間の所定の位置に、予め印刷しておいた印刷済みのページを挿入して印刷物を出力する処理である。差し込みページ処理を行うためには、まず、差し込みページ処理を行いたい印刷済みのページを、差し込みページ処理専用の給紙トレイであるＰＩトレイにセットしておく。そして、印刷ジョブの印刷設定において、差し込みページ処理を行いたいページの給紙トレイ設定を、ＰＩトレイに指定する。これにより、印刷部１８から出力される用紙の間の所定の位置に、ＰＩトレイにセットされた印刷済みのページが挿入されて出力される。
【００３９】
（クライアント端末２）
図３は、図１に示されるクライアント端末の概略構成を示すブロック図である。なお、クライアント端末２の構成のうち、印刷装置１と同様の機能を有する部分については、その説明を省略する。
【００４０】
クライアント端末２は、図３に示すように、ＣＰＵ（Ｃｅｎｔｒａｌ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、ハードディスク２３、ネットワークインターフェース２４、操作部２５および表示部２６を備えており、これらは信号をやり取りするためのバスを介して相互に接続されている。
【００４１】
ＣＰＵ２０は、ＲＯＭ２１やハードディスク２３に記録されているプログラムにしたがって、上記各部の制御や各種の演算処理を行う。ＣＰＵ２０は、プログラムを実行することによって、結合部、設定部およびサムネイル統合部として機能する。
【００４２】
ハードディスク２３は、オペレーティングシステムを含む各種プログラムや、各種データを格納する。ハードディスク２３には、印刷装置１に送信された印刷ジョブや、印刷装置１のハードディスク１３に保存された印刷ジョブの監視、管理、編集等を行うためのジョブ監視・管理・編集アプリケーションがインストールされている。ジョブ監視・管理・編集アプリケーションは、印刷装置１のハードディスク１３に保存された印刷ジョブに関する情報を印刷ジョブリストとして一覧表示する。また、ジョブ監視・管理・編集アプリケーションは、各印刷ジョブに含まれるページを示す画像を縮小して示すサムネイルを表示し、ユーザーからの各種編集指示を受け付ける。さらに、ジョブ監視・管理・編集アプリケーションは、複数の印刷装置１に保存された印刷ジョブの印刷ジョブリストや、複数の印刷ジョブに含まれるページのサムネイルを同時に表示し、各種編集指示をユーザーから受け付ける。ジョブ監視・管理・編集アプリケーションは、ユーザーからの指示に基づいて、たとえば、一の印刷ジョブに含まれるページの間に、他の印刷ジョブに含まれるページを挿入し、新たな印刷ジョブとして生成するページ結合処理を実行する。
【００４３】
また、ハードディスク２３には、文書ファイルを印刷装置１が解釈可能なページ記述言語（ＰＤＬ）で記述された印刷データに変換するためのプリンタードライバーがインストールされている。プリンタードライバーは、印刷装置１が対応可能な形式による印刷データを作成し、これを印刷ジョブとしてネットワーク３を介して印刷装置１に送信する。印刷ジョブは、文書、図形、画像等の原稿に関する原稿データと、当該原稿データを記録媒体等に画像形成するための設定である印刷設定とを含む。
【００４４】
操作部２５は、マウス等のポインティングデバイス、およびキーボードを含み、各種の入力を行うために使用される。
【００４５】
表示部２６は、たとえば、液晶ディスプレイであり、各種の情報を表示する。
【００４６】
なお、印刷装置１およびクライアント端末２は、それぞれ上記の構成要素以外の構成要素を含んでいてもよく、あるいは、上記の構成要素のうちの一部が含まれていなくてもよい。
【００４７】
（処理概要）
次に、第１実施形態のクライアント端末２における処理の流れを説明する。
【００４８】
図４は、第１実施形態のクライアント端末により実行される処理の流れを示すフローチャートである。図５は、クライアント端末の表示部に表示されるメイン画面の一例を示す図である。図６は、装置情報画面の一例を示す図である。図７は、ページ編集画面の一例を示す図である。図８は、ジョブリスト同時表示画面の一例を示す図である。図９は、ページ結合画面の一例を示す図である。図１０は、ページ結合指示が行われる様子を示す図である。なお、図４のフローチャートに示される処理は、クライアント端末２のＲＯＭ２１またはハードディスク２３にプログラムとして記憶されており、ＣＰＵ２０により実行される。
【００４９】
なお、第１実施形態においては、第１印刷装置１ａにＰＩトレイが装着されていることを前提とする。
【００５０】
図４に示すように、クライアント端末２は、ユーザーからの指示等に基づき、ジョブ監視・管理・編集アプリケーションを起動する（ステップＳ１０１）。クライアント端末２は、図５に示すようなジョブ監視・管理・編集アプリケーションのメイン画面２００を表示部２６に表示する。クライアント端末２は、メイン画面２００におけるボタン押下等のユーザー操作に応じて、図６に示すような装置情報画面２１０や、図７に示すようなページ編集画面２２０を、表示部２６に表示する。各画面の詳細については、後述する。
【００５１】
続いて、クライアント端末２は、クライアント端末２に登録された複数の印刷装置１から、装置情報として、それぞれの印刷装置１に装着された給紙オプションの種類や状態を示す給紙オプション情報を取得する（ステップＳ１０２）。給紙オプション情報には、差し込みページ処理に用いられるＰＩトレイが各印刷装置１に装着されているか否かを示す情報が含まれる。クライアント端末２は、取得した給紙オプション情報を、ハードディスク２３に記憶する。
【００５２】
続いて、クライアント端末２は、メイン画面２００におけるボタン押下等のユーザー操作に応じて、複数の印刷装置１に保存された印刷ジョブのジョブリストを同時に表示するジョブリスト同時表示機能の起動指示を受け付ける（ステップＳ１０３）。
【００５３】
続いて、クライアント端末２は、ジョブリスト同時表示機能の起動指示を受け付けると、図８に示すような、ジョブリスト同時表示画面２３０を、表示部２６に表示する（ステップＳ１０４）。ジョブリスト同時表示画面２３０には、クライアント端末２に登録された複数の印刷装置１に保存された印刷ジョブに関する情報が、印刷装置１ごとの印刷ジョブリストとして一覧表示される。ジョブリスト同時表示画面２３０の詳細については、後述する。
【００５４】
続いて、クライアント端末２は、ジョブリスト同時表示画面２３０において、結合処理の対象となる親ジョブおよび子ジョブの選択を受け付ける（ステップＳ１０５）。親ジョブおよび子ジョブは、異なる印刷装置１に保存された印刷ジョブの中から選択されてもよく、同じ印刷装置１に保存された印刷ジョブの中から選択されてもよい。クライアント端末２は、子ジョブがどの印刷装置１に保存されていたものかを示す保存情報を確認して、子ジョブの保存先を特定できる。保存情報は、クライアント端末２のハードディスク２３に記憶されていてもよいし、印刷装置１に記憶されていてもよい。あるいは、クライアント端末２が印刷装置１との通信により、保存情報を適宜作成してもよい。第１実施形態においては、親ジョブは第１印刷装置１ａ（図１参照）に保存され、子ジョブは第２印刷装置１ｂ（図１参照）に保存されているものとして説明する。
【００５５】
続いて、クライアント端末２は、ステップＳ１０５において親ジョブおよび子ジョブの選択を受け付けると、図９に示すようなページ結合画面２４０を、表示部２６に表示する（ステップＳ１０６）。ページ結合画面２４０は、サムネイル表示部２４１および２４２を有する。サムネイル表示部２４１および２４２には、それぞれ親ジョブおよび子ジョブに含まれるページのサムネイルが一覧表示される。ページ結合画面２４０の詳細については、後述する。
【００５６】
続いて、クライアント端末２は、ページ結合画面２４０において、子ジョブに含まれるページの中から、親ジョブに結合する結合ページの選択を受け付ける（ステップＳ１０７）。たとえば、図９のページ結合画面２４０のサムネイル表示部２４２において、ユーザーがマウスでのクリック操作等により、子ジョブに含まれるページのサムネイルを選択すると、クライアント端末２は、結合ページが選択されたものとして受け付ける。
【００５７】
続いて、クライアント端末２は、ユーザーから結合ページを他の印刷ジョブに結合する指示を受け付ける（ステップＳ１０８）。たとえば、図１０に示すように、ユーザーがマウスでのドラッグアンドドロップ操作等により、結合ページのサムネイルを、親ジョブに含まれるページの間に移動すると、クライアント端末２は、結合ページを結合する旨のページ結合指示を受け付ける。
【００５８】
続いて、クライアント端末２は、結合部として、ステップＳ１０８で受け付けたページ結合指示に従って、結合ページを親ジョブのページに結合する（ステップＳ１０９）。
【００５９】
クライアント端末２は、ステップＳ１０９においてページ結合処理を行った後、設定部として、結合ページの給紙トレイ設定処理を行う（ステップＳ１１０）。給紙トレイ設定処理の詳細については、後述する。
【００６０】
（メイン画面２００）
メイン画面２００は、クライアント端末２に登録された複数の印刷装置１の各種情報を表示する画面であり、印刷装置選択タブ２０１、印刷装置ステータス表示部２０２および印刷装置ジョブ表示部２０３を含む。
【００６１】
印刷装置選択タブ２０１は、情報を表示する印刷装置１を選択するためのタブである。印刷装置選択タブ２０１には、クライアント端末２に登録された複数の印刷装置１の名称やＩＰアドレス等の識別情報がタブ形式で表示される。ユーザーは、情報を確認したい印刷装置１の名称等が示されたタブを選択することにより、選択された印刷装置１に関する情報を確認できる。
【００６２】
印刷装置ステータス表示部２０２には、印刷装置選択タブ２０１において選択された印刷装置１の装置状態、ハードディスク使用状況、トナー残量および用紙情報等が表示される。
【００６３】
印刷装置ジョブ表示部２０３は、印刷装置１に保存されている印刷ジョブに関する情報を一覧表示する印刷ジョブリストを含む。印刷ジョブリストには、印刷装置１に保存されている印刷ジョブに関する情報が互いに対応付けて表示される。印刷ジョブに関する情報には、ステータス情報、ジョブタイプ情報、ユーザー情報、名称情報、ページ数情報、部数情報、排紙トレイ情報、開始時間情報および終了時間情報が含まれる。ステータス情報は、印刷中や待機中といった印刷ジョブの状態を示す情報であり、ジョブタイプ情報は、印刷、コピー、スキャンといった印刷ジョブの種類を示す情報である。ユーザー情報は印刷ジョブを生成したクライアント端末２のユーザーを識別するための情報であり、名称情報は、印刷ジョブを識別するために設定された印刷ジョブの名称を示す情報である。ページ数情報は、印刷ジョブに含まれるページ数を示す情報であり、部数情報は、印刷ジョブの合計印刷部数を示す情報である。排紙トレイ情報は、印刷ジョブによる印刷物の出力先のトレイを示す情報である。開始時間情報は、印刷ジョブの開始時間を示す情報であり、終了時間情報は、印刷ジョブの終了時間を示す情報である。
【００６４】
（装置情報画面２１０）
メイン画面２００において、装置情報ボタン２０４が押下されると、クライアント端末２は、表示部２６に、図６に示すような、装置情報画面２１０を表示する。
【００６５】
装置情報画面２１０は、印刷装置１に関する詳細情報を示す画面である。装置情報画面２１０に表示される詳細情報には、装置情報、消耗品情報、オプション情報、ハードディスク残量情報および給紙トレイ情報が含まれる。装置情報には、印刷装置１の機種名情報、接続状態情報、プリンター名情報、ＩＰアドレス情報、ＭＡＣアドレス情報、ポート番号情報および装置状態情報が含まれる。消耗品情報には、印刷装置１の各色トナーの残量情報、廃トナーボックスや断裁やパンチのくず箱のステータス情報といった消耗品の使用状況を示す情報が含まれる。オプション情報には、印刷装置１の排紙トレイ等のオプション装置の装着状態を示す情報が含まれる。ハードディスク残量は、印刷装置１のハードディスクの使用状況を示す情報が含まれる。給紙トレイ情報には、トレイ番号情報、用紙サイズ情報、用紙名称情報、用紙残量情報、用紙坪量情報、坪量単位情報、紙色情報および用紙のパンチ穴有無情報が含まれる。
【００６６】
（ページ編集画面２２０）
メイン画面２００の印刷装置ジョブ表示部２０３において、印刷ジョブリスト中の一つの印刷ジョブが選択されると、クライアント端末２は、図７に示すような、ページ編集画面２２０を、表示部２６に表示する。
【００６７】
ページ編集画面２２０は、ページ表示部２２１およびページ操作部２２２を含む。ページ表示部２２１は、選択された印刷ジョブに含まれるページのサムネイルを一覧表示する。サムネイル表示部２４１には、各ページのサムネイルとあわせて、各ページの両面−片面印刷設定情報、給紙トレイ設定情報、ステープル設定情報およびパンチ設定情報等の印刷設定情報が表示される。ページ操作部２２２は、サムネイル表示部２４１に表示されたページを編集するための各種操作ボタンを有する。各種操作には、たとえば、サムネイル表示部２４１に表示するページの範囲を変更するページ送り操作、ページの表示サイズを変更する拡大縮小操作、白紙ページ等を挿入する挿入操作、選択、切り取り、コピー、貼付等のページ操作等が含まれる。
【００６８】
（ジョブリスト同時表示画面２３０）
メイン画面２００において、ユーザーによるボタン操作やコマンド操作等によりジョブリスト同時表示機能の起動指示を受け付けると、クライアント端末２は、図８に示すような、ジョブリスト同時表示画面２３０を、表示部２６に表示する。
【００６９】
ジョブリスト同時表示画面２３０は、複数のジョブリスト表示部２３１を有する。複数のジョブリスト表示部２３１は、クライアント端末２に登録された複数の印刷装置１のそれぞれに保存された印刷ジョブに関する情報を印刷ジョブリストとして一覧表示する。印刷ジョブリストとして表示される内容の項目は、図５のメイン画面２００の印刷装置ジョブ表示部２０３に表示される内容の項目と同様である。図８の例では、ジョブリスト表示部２３１には、二つの印刷装置１のそれぞれに保存された印刷ジョブの印刷ジョブリストが表示されている。印刷ジョブリストを表示する印刷装置１の数は二つに限定されず、三つ以上の印刷装置１について印刷ジョブリストが表示されてもよい。
【００７０】
（ページ結合画面２４０）
ジョブリスト同時表示画面２３０において、親ジョブおよび子ジョブとして複数の印刷ジョブが選択されると、クライアント端末２は、表示部２６に、図９に示すような、ページ結合画面２４０を表示する。
【００７１】
ページ結合画面２４０は、選択された複数の印刷ジョブのそれぞれに含まれるページのサムネイルを一覧表示する複数のサムネイル表示部２４１を有する。サムネイル表示部２４１には、各ページのサムネイルと、各ページの印刷設定情報とが表示される。印刷設定情報には、両面−片面印刷設定情報、給紙トレイ設定情報、ステープル設定情報およびパンチ設定情報等が含まれる。
【００７２】
（ステップＳ１１０の給紙トレイ設定処理）
次に、図４のステップＳ１１０に示す給紙トレイ設定処理の流れを説明する。
【００７３】
図１１は、第１実施形態に係るクライアント端末により実行される給紙トレイ設定処理の流れを示すフローチャートである。図１２は、図１１のステップＳ１１１において表示されるページ結合設定ダイアログの一例を示す図である。図１３は、図１１のステップＳ１１４において示されるサムネイル統合処理が行われる様子を示す図である。なお、図１１のフローチャートに示される処理は、クライアント端末２のＲＯＭ２１またはハードディスク２３にプログラムとして記憶されており、ＣＰＵ２０により実行される。
【００７４】
クライアント端末２は、図４のステップＳ１０９においてページ結合処理を行った後、図１２に示すような、結合ページの印刷設定を行うためのページ結合設定ダイアログ２５０を表示する（ステップＳ１１１）。ページ結合設定ダイアログ２５０において、ユーザーは、結合ページの給紙トレイ設定、両面−片面印刷設定、ステープル設定およびパンチ設定を行うことができる。ここで、保存情報によれば、結合ページは、親ジョブが保存された第１印刷装置１ａとは異なる第２印刷装置１ｂに保存された子ジョブに含まれていたものである。したがって、クライアント端末２は、結合ページが第２印刷装置１ｂで予め印刷されており、差し込みページ処理によって親ジョブのページに挿入されるものと判断する。その結果、クライアント端末２は、設定部として、図１２の破線部に示すように、結合ページの給紙トレイのデフォルト設定として、ＰＩトレイを自動的に設定する（ステップＳ１１２）。ユーザーは、差し込みページ処理を行いたくない場合には、デフォルト設定としてＰＩトレイが選択された給紙トレイの設定を、他の給紙トレイを用いる設定に変更できる。
【００７５】
クライアント端末２は、ユーザーにより設定変更が行われなければ、結合ページの給紙トレイの印刷設定をＰＩトレイに確定する（ステップＳ１１３）。ユーザーにより設定変更が行われれば、クライアント端末２は、変更後の内容で結合ページの印刷設定を確定する。
【００７６】
クライアント端末２は、サムネイル統合部として、結合ページのサムネイル情報を第２印刷装置１ｂから取得し、ページ結合画面２４０のサムネイル表示部２４１において親ジョブのページおよび結合ページのサムネイルをあわせて表示する（ステップＳ１１４）。具体的には、クライアント端末２は、図１３に示すように、親ジョブのページを示すサムネイルの一覧に、結合ページのサムネイルを挿入して表示する。
【００７７】
以上のように、第１実施形態のクライアント端末２によれば、第１印刷装置１ａにＰＩトレイが装着されていることを前提とし、保存情報に基づいて、結合ページの給紙トレイを自動的に設定する。詳細には、保存情報として、子ジョブが親ジョブとは異なる第２印刷装置１ｂに保存されているので、結合ページの給紙トレイにＰＩトレイを自動的に設定する。これにより、ユーザーが結合ページを親ジョブのページに結合する操作を行うだけで、結合ページの給紙トレイがＰＩトレイに自動設定される。その結果、ユーザーが差し込みページ処理を行う際に、結合ページの給紙トレイを設定する作業負荷を軽減できる。
【００７８】
また、クライアント端末２は、結合ページのサムネイル情報を取得し、親ジョブのページのサムネイルと結合ページのサムネイルとをあわせて表示する。これにより、ユーザーはページ結合後の印刷物全体の完成イメージを確認しながら作業を進めることができ、ユーザーの利便性が高まる。
【００７９】
なお、上記第１実施形態では、結合ページの給紙トレイ設定は、ページ結合設定ダイアログ２５０においてデフォルト設定が表示され、ユーザーが確認した上で確定されるものとして説明したが、これに限定されない。クライアント端末２は、ページ結合設定ダイアログ２５０を表示せずに、結合ページの給紙トレイを自動的にＰＩトレイに設定してもよい。これにより、ユーザーの作業負荷をより軽減できる。
【００８０】
また、上記第１実施形態では、図４のステップＳ１０５において複数の印刷ジョブが選択される時点で親ジョブと子ジョブとが指定されるものとして説明したが、これに限定されない。複数の印刷ジョブが選択される時点では親ジョブか子ジョブかを指定せず、ドラッグアンドドロップ操作等により結合ページが挿入されたジョブを親ジョブとし、他方を子ジョブとして決定してもよい。これにより、ユーザーが親ジョブおよび子ジョブを指定する作業負荷を軽減できる。
【００８１】
また、上記第１実施形態では、第１印刷装置１ａにＰＩトレイが装着されていることを前提として説明した。しかし、第１印刷装置１ａにＰＩトレイが装着されているかどうかは、第１印刷装置１ａの装置情報を参照することにより確認できる。したがって、クライアント端末２は、保存情報だけでなく第１印刷装置１ａの装置情報にも基づいて、結合ページの給紙トレイを自動的に設定することもできる。この場合、クライアント端末２は、装置情報および保存情報を参照して、第１印刷装置１ａにＰＩトレイが装着されており、子ジョブが親ジョブとは異なる印刷装置１に保存されている場合に、ＰＩトレイを結合ページの給紙トレイに設定する。
【００８２】
（第２実施形態）
第２実施形態の印刷システムについて説明する。
【００８３】
第１実施形態では、親ジョブと子ジョブとが互いに異なる印刷装置１に保存されている。しかし、親ジョブと子ジョブとは、同じ印刷装置１に保存されていてもよい。第２実施形態では、親ジョブと子ジョブとが同じ印刷装置１に保存されている前提で、給紙トレイ設定処理が行われる場合について説明する。なお、第２実施形態においても、第１実施形態と同様に、ＰＩトレイについては、第１印刷装置１ａに装着されていることを前提とする。以下においては、第１実施形態と重複する部分の説明は省略し、第１実施形態と異なる部分を中心に説明する。
【００８４】
第２実施形態に係る印刷システムの構成は、第１実施形態と同様である。
【００８５】
次に、第２実施形態のクライアント端末２における処理の流れを説明する。
【００８６】
第２実施形態のクライアント端末２における処理の基本的な流れは、図４のフローチャートに示される第１実施形態のクライアント端末２における処理の流れと同様である。第２実施形態は、図４のステップＳ１０５において選択される親ジョブと子ジョブとが、同じ印刷装置１（第１印刷装置１ａ）に保存されている点で、第１実施形態とは異なる。また、第２実施形態は、図４のステップＳ１１０に示される給紙トレイ設定処理の内容が、第１実施形態とは異なる。
【００８７】
以下、第２実施形態における給紙トレイ設定処理の流れを説明する。
【００８８】
図１４は、第２実施形態に係るクライアント端末により実行される給紙トレイ設定処理の流れを示すフローチャートである。
【００８９】
クライアント端末２は、図４のステップＳ１０９においてページ結合処理を行った後、第１印刷装置１ａのハードディスク１３に保存された子ジョブの印刷情報を確認する（ステップＳ２１１）。
【００９０】
続いて、クライアント端末２は、ステップＳ２１１において確認した子ジョブの印刷情報に基づいて、子ジョブが既に印刷済であるか否かを確認する（ステップＳ２１２）。
【００９１】
子ジョブが印刷済である場合（ステップＳ２１２：ＹＥＳ）、クライアント端末２は、結合ページが予め印刷されており、差し込みページ処理によって親ジョブのページに挿入されるものと判断する。クライアント端末２は、設定部として、図１２に示すような、ページ結合設定ダイアログ２５０を表示し（ステップＳ２１３）、結合ページの給紙トレイのデフォルト設定として、ＰＩトレイを自動的に設定する（ステップＳ２１４）。ユーザーは、差し込みページ処理を行いたくない場合には、デフォルト設定としてＰＩトレイが選択された給紙トレイの設定を、他の給紙トレイを用いる設定に変更できる。ステップＳ２１５の処理は、図１１のステップＳ１１３の処理と同様である。ステップＳ２１５の処理が完了後、クライアント端末２は、ステップＳ２１９の処理に進む。
【００９２】
一方、子ジョブが印刷済でない場合（ステップＳ２１２：ＮＯ）、クライアント端末２は、結合ページがまだ印刷されていないため、結合ページを親ジョブのページとあわせて印刷するものと判断する。クライアント端末２は、設定部として、図１２に示すようなページ結合設定ダイアログ２５０を表示し（ステップＳ２１６）、結合ページの給紙トレイのデフォルト設定として、親ジョブのページと同じ給紙トレイを自動的に設定する（ステップＳ２１７）。ユーザーは、デフォルト設定として親ジョブのページと同じ給紙トレイが選択された給紙トレイ設定を、他の給紙トレイを用いる設定に変更できる。
【００９３】
クライアント端末２は、ユーザーにより設定変更が行われなければ、結合ページの給紙トレイの印刷設定を親ジョブのページと同じ給紙トレイに確定する（ステップＳ２１８）。ユーザーにより設定変更が行われれば、クライアント端末２は、変更後の内容で結合ページの印刷設定を確定する。
【００９４】
クライアント端末２は、サムネイル統合部として、結合ページのサムネイル情報を第１印刷装置１ａから取得し、ページ結合画面２４０のサムネイル表示部２４１において親ジョブのページおよび結合ページのサムネイルをあわせて表示する（ステップＳ２１９）。具体的には、クライアント端末２は、図１３に示すように、親ジョブのページを示すサムネイルの一覧に、結合ページのサムネイルを挿入して表示する。
【００９５】
以上のように、第２実施形態のクライアント端末２によれば、第１印刷装置１ａにＰＩトレイが装着され、親ジョブと子ジョブとが同じ印刷装置１に保存されていることを前提とし、子ジョブの印刷情報に基づいて、結合ページの給紙トレイを自動的に設定する。詳細には、第２実施形態のクライアント端末２によれば、子ジョブが既に印刷済か否かを判断し、印刷済の場合は、結合ページの給紙トレイとしてＰＩトレイを自動的に設定し、印刷済でない場合は、結合ページの給紙トレイとして親ジョブのページと同じ給紙トレイを自動的に設定する。これにより、結合ページが印刷済であるか否かを考慮して差し込みページ処理の要否を判断するため、より適切に給紙トレイの自動設定を行うことができる。
【００９６】
なお、上記第２実施形態においては、親ジョブと子ジョブとが同じ印刷装置１に保存されているものとして説明したが、これに限定されない。親ジョブと子ジョブとが異なる印刷装置１に保存されている場合でも、子ジョブが印刷済か否かを考慮して、子ジョブが印刷済の場合にＰＩトレイを使うように、給紙トレイの自動設定を行ってもよい。
【００９７】
また、上記第２実施形態では、第１印刷装置１ａにＰＩトレイが装着されていることを前提として説明した。しかし、第１印刷装置１ａにＰＩトレイが装着されているかどうかは、第１印刷装置１ａの装置情報を参照することにより確認できる。さらに、親ジョブと子ジョブとが同じ印刷装置１に保存されていることを前提として説明した。しかし、親ジョブと子ジョブとが同じ印刷装置１に保存されているかどうかは、保存情報を参照することにより確認できる。したがって、クライアント端末２は、子ジョブの印刷情報だけでなく第１印刷装置１ａの装置情報および保存情報にも基づいて、結合ページの給紙トレイを自動的に設定することもできる。この場合、クライアント端末２は、印刷情報、装置情報および保存情報を参照する。そして、子ジョブが印刷済で、第１印刷装置１ａにＰＩトレイが装着されており、子ジョブが親ジョブとは異なる印刷装置１に保存されている場合に、クライアント端末２は、ＰＩトレイを結合ページの給紙トレイに設定する。
【００９８】
（第３実施形態）
第３実施形態の印刷システムについて説明する。
【００９９】
第１実施形態では、親ジョブが保存された第１印刷装置１ａにＰＩトレイが装着されている前提で説明した。しかし、第１印刷装置１ａにＰＩトレイが装着されていない場合もある。第３実施形態では、第１印刷装置１ａにＰＩトレイが装着されていない場合も考慮した給紙トレイ設定処理について説明する。なお、第３実施形態においても、第１実施形態と同様に、親ジョブは第１印刷装置１ａ（図１参照）に保存され、子ジョブは第２印刷装置１ｂ（図１参照）に保存されているものとして説明する。以下においては、第１実施形態と重複する部分の説明は省略し、第１実施形態と異なる部分を中心に説明する。
【０１００】
第３実施形態に係る印刷システムの基本的な構成は、第１実施形態と同様である。第３実施形態は、第１印刷装置１ａにＰＩトレイが装着されていない場合も含まれる点で、第１実施形態とは異なる。
【０１０１】
次に、第３実施形態のクライアント端末２における処理の流れを説明する。
【０１０２】
第３実施形態のクライアント端末２における処理の基本的な流れは、図４のフローチャートに示される第１実施形態のクライアント端末２における処理の流れと同様である。第３実施形態は、図４のステップＳ１１０に示される給紙トレイ設定処理の内容が、第１実施形態とは異なる。
【０１０３】
以下、第３実施形態における給紙トレイ設定処理の流れを説明する。
【０１０４】
図１５は、第３実施形態に係るクライアント端末により実行される給紙トレイ設定処理の流れを示すフローチャートである。
【０１０５】
クライアント端末２は、図４のステップＳ１０９においてページ結合処理を行った後、図４のステップＳ１０２において、第１印刷装置１ａの装置情報として取得した給紙オプション情報に基づいて、第１印刷装置１ａにＰＩトレイが装着されているか否かを判断する（ステップＳ３１１）。
【０１０６】
ＰＩトレイが装着されている場合（ステップＳ３１１：ＹＥＳ）、クライアント端末２は、第１実施形態と同様に、結合ページが第２印刷装置１ｂで予め印刷されており、差し込みページ処理によって親ジョブのページに挿入されるものと判断する。したがって、クライアント端末２は、設定部として、図１２に示すようなページ結合設定ダイアログ２５０を表示し（ステップＳ３１２）、結合ページの給紙トレイのデフォルト設定として、ＰＩトレイを自動的に設定する（ステップＳ３１３）。ユーザーは、差し込みページ処理を行いたくない場合には、デフォルト設定としてＰＩトレイが選択された給紙トレイの設定を、他の給紙トレイを用いる設定に変更できる。ステップＳ３１４の処理は、図１１のステップＳ１１３の処理と同様である。ステップＳ３１４の処理が完了後、クライアント端末２は、ステップＳ３１８の処理に進む。
【０１０７】
一方、ＰＩトレイが装着されていない場合（ステップＳ３１１：ＮＯ）、クライアント端末２は、第１実施形態と同様に、結合ページが第２印刷装置１ｂで予め印刷されており、差し込みページ処理によって親ジョブのページに挿入されるものと判断する。しかし、第１印刷装置１ａには、ＰＩトレイが装着されていない。そこで、クライアント端末２は、設定部として、ページ結合設定ダイアログ２５０を表示し（ステップＳ３１５）、給紙トレイのデフォルト設定として、親ジョブのページとは異なる第１印刷装置１ａの所定の給紙トレイを自動的に設定する（ステップＳ３１６）。さらに、クライアント端末２は、設定部として、結合ページの印刷モードの設定を、インターシートモードに設定する。インターシートモードとは、給紙部１７から搬送した用紙に対して印刷部１８において画像形成処理を行わずに後処理部１９へ出力する印刷モードのことである。これにより、予め印刷された結合ページを第１印刷装置１ａの親ジョブのページの出力に用いる給紙トレイとは異なる所定の給紙トレイに収納しておけば、結合ページが親ジョブのページに挿入されて出力され、差し込みページ処理を行った場合と同じ結果物を得ることができる。ユーザーは、デフォルト設定として選択された給紙トレイの設定を、他の給紙トレイを用いる設定に変更できる。また、ユーザーは、印刷モードの設定を、インターシートモードから通常の印刷を行うモードに変更できる。
【０１０８】
クライアント端末２は、ユーザーにより設定変更が行われなければ、結合ページの給紙トレイ設定を第１印刷装置１ａの親ジョブのページとは異なる所定の給紙トレイに確定し、印刷モードをインターシートモードに確定する（ステップＳ３１７）。ユーザーにより設定変更が行われれば、クライアント端末２は、変更後の設定内容で給紙トレイ設定および印刷モード設定を確定する。
【０１０９】
クライアント端末２は、サムネイル統合部として、結合ページのサムネイル情報を第２印刷装置１ｂから取得し、ページ結合画面２４０のサムネイル表示部２４１において親ジョブのページおよび結合ページのサムネイルをあわせて表示する（ステップＳ３１８）。具体的には、クライアント端末２は、図１３に示すように、親ジョブのページを示すサムネイルの一覧に、結合ページのサムネイルを挿入して表示する。
【０１１０】
以上のように、第３実施形態のクライアント端末２によれば、親ジョブと子ジョブとが別々の印刷装置１に保存されていることを前提とし、印刷装置１の装置情報に基づいて、結合ページの給紙トレイを自動的に設定する。詳細には、第３実施形態のクライアント端末２によれば、第１印刷装置１ａにＰＩトレイが装着されているか否かを判断し、装着されている場合は、結合ページの給紙トレイとしてＰＩトレイを自動的に設定し、装着されていない場合は、結合ページの給紙トレイとして第１印刷装置１ａの親ジョブのページとは異なる所定の給紙トレイを自動的に設定し、印刷モードをインターシートモードに設定する。これにより、ＰＩトレイが装着されていない場合でも、結合ページを差し込みページ処理によって親ジョブのページに挿入できる。さらに、ユーザーが結合ページの給紙トレイおよび印刷モードを手動で設定する作業負荷を軽減できる。
【０１１１】
なお、上記第３実施形態では、第１印刷装置１ａにＰＩトレイが装着されていない場合は、親ジョブのページとは異なる所定の給紙トレイを選択するものとして設定したが、これに限定されない。給紙トレイは、結合ページの印刷サイズおよび印刷枚数等の印刷情報と、給紙トレイに収納されている用紙のサイズおよび枚数等の用紙情報とを考慮して自動的に選択されてもよい。
【０１１２】
また、上記第３実施形態では、親ジョブと子ジョブとが別々の印刷装置１に保存されていることを前提として説明した。しかし、親ジョブと子ジョブとが別々の印刷装置１に保存されているかどうかは、保存情報を参照することにより確認できる。したがって、クライアント端末２は、第１印刷装置１ａの装置情報だけでなく、保存情報にも基づいて、結合ページの給紙トレイを自動的に設定することもできる。この場合、クライアント端末２は、装置情報および保存情報を参照する。そして、第１印刷装置１ａにＰＩトレイが装着されておらず、子ジョブが親ジョブとは異なる印刷装置１に保存されている場合に、クライアント端末２は、第１印刷装置１ａの親ジョブの出力用とは別の所定の給紙トレイを結合ページの給紙トレイに設定する。
【０１１３】
（第４実施形態）
第４実施形態の印刷システムについて説明する。
【０１１４】
第４実施形態では、結合ページの色情報に応じて給紙トレイ設定処理が行われる場合について説明する。以下においては、第１実施形態と重複する部分の説明は省略し、第１実施形態と異なる部分を中心に説明する。
【０１１５】
第４実施形態に係る印刷システムの基本的な構成は、第１実施形態と同様である。第４実施形態は、第１印刷装置１ａがモノクロ印刷専用の印刷装置であることを前提とする。なお、第１印刷装置１ａがモノクロ印刷専用であることは、第１印刷装置１ａの装置情報から確認できる。また、第４実施形態においても、第１および第２実施形態と同様に、ＰＩトレイについては、第１印刷装置１ａに装着されていることを前提とする。
【０１１６】
次に、第４実施形態のクライアント端末２における処理の流れを説明する。
【０１１７】
第４実施形態のクライアント端末２における処理の基本的な流れは、図４のフローチャートに示される第１実施形態のクライアント端末２における処理の流れと同様である。第４実施形態は、図４のステップＳ１１０に示される給紙トレイ設定処理の内容が、第１実施形態とは異なる。
【０１１８】
以下、第４実施形態における給紙トレイ設定処理の流れを説明する。
【０１１９】
図１６は、第４実施形態に係るクライアント端末により実行される給紙トレイ設定処理の流れを示すフローチャートである。
【０１２０】
クライアント端末２は、図４のステップＳ１０９においてページ結合処理を行った後、子ジョブの印刷情報に含まれる結合ページの色情報を確認する（ステップＳ４１１）。
【０１２１】
クライアント端末２は、ステップＳ４１１において確認した結合ページの色情報に基づいて、結合ページがカラーページであるか否かを判断する（ステップＳ４１２）。
【０１２２】
結合ページがカラーページである場合（ステップＳ４１２：ＹＥＳ）、クライアント端末２は、予め印刷された結合ページが差し込みページ処理によって親ジョブのページに挿入されると判断する。これは、第１印刷装置１ａがモノクロ印刷専用でカラーページの印刷はできないため、結合ページは予め他の印刷装置１でカラー印刷されていると考えられるためである。したがって、クライアント端末２は、設定部として、図１２に示すようなページ結合設定ダイアログ２５０を表示し（ステップＳ４１３）、結合ページの給紙トレイのデフォルト設定として、ＰＩトレイを自動的に設定する（ステップＳ４１４）。ユーザーは、差し込みページ処理を行いたくない場合には、デフォルト設定としてＰＩトレイが選択された給紙トレイの設定を、他の給紙トレイを用いる設定に変更できる。ステップＳ４１５の処理は、図１１のステップＳ１１３の処理と同様である。ステップＳ４１５の処理が完了後、クライアント端末２は、ステップＳ４１９の処理に進む。
【０１２３】
一方、結合ページがカラーページでない場合（ステップＳ４１２：ＮＯ）、クライアント端末２は、結合ページが親ジョブのページとあわせて印刷されるものと判断する。これは、結合ページがカラーページでなくモノクロページであり、モノクロ印刷専用の第１印刷装置１ａで効率的に印刷できるためである。したがって、クライアント端末２は、設定部として、ページ結合設定ダイアログ２５０を表示し（ステップＳ４１６）、結合ページの給紙トレイのデフォルト設定として、親ジョブのページと同じ給紙トレイを自動的に設定する（ステップＳ４１７）。ユーザーは、デフォルト設定として親ジョブのページと同じ給紙トレイが選択された給紙トレイ設定を、他の給紙トレイを用いる設定に変更できる。
【０１２４】
クライアント端末２は、ユーザーにより設定変更が行われなければ、結合ページの給紙トレイの印刷設定を親ジョブのページと同じ給紙トレイに確定する（ステップＳ４１８）。ユーザーにより設定変更が行われれば、クライアント端末２は、変更後の内容で結合ページの印刷設定を確定する。
【０１２５】
クライアント端末２は、サムネイル統合部として、結合ページのサムネイル情報を第２印刷装置１ｂから取得し、ページ結合画面２４０のサムネイル表示部２４１において親ジョブのページおよび結合ページのサムネイルをあわせて表示する（ステップＳ４１９）。具体的には、クライアント端末２は、図１３に示すように、親ジョブのページを示すサムネイルの一覧に、結合ページのサムネイルを挿入して表示する。
【０１２６】
以上のように、第４実施形態のクライアント端末２によれば、第１印刷装置１ａがモノクロ印刷専用であり、第１印刷装置１ａにＰＩトレイが装着されていることを前提とし、子ジョブの印刷情報に基づいて、結合ページの給紙トレイを自動的に設定する。詳細には、第４実施形態のクライアント端末２によれば、第１印刷装置１ａがモノクロ印刷専用の場合に結合ページがカラーページであるか否かを判断し、カラーページである場合は、結合ページの給紙トレイとしてＰＩトレイを自動的に設定する。一方、カラーページでない場合は、クライアント端末２は、結合ページの給紙トレイとして親ジョブのページと同じ給紙トレイを自動的に設定する。これにより、結合ページがカラーページか否かを考慮して差し込みページ処理の要否を判断するため、よい適切に給紙トレイの自動設定を行うことができる。
【０１２７】
また、上記第４実施形態では、第１印刷装置１ａがモノクロ印刷専用の印刷装置であり、第１印刷装置１ａにはＰＩトレイが装着されていることを前提として説明した。しかし、第１印刷装置１ａがモノクロ印刷専用の印刷装置であり、第１印刷装置１ａにＰＩトレイが装着されているかどうかは、第１印刷装置１ａの装置情報を参照することにより確認できる。したがって、クライアント端末２は、子ジョブの印刷情報だけでなく、第１印刷装置１ａの装置情報にも基づいて、結合ページの給紙トレイを自動的に設定することもできる。この場合、クライアント端末２は、印刷情報および装置情報を参照する。そして、結合ページがカラーページで、第１印刷装置１ａがモノクロ印刷専用の印刷装置であり、第１印刷装置１ａにＰＩトレイが装着されている場合に、クライアント端末２は、ＰＩトレイを結合ページの給紙トレイに設定する。
【０１２８】
（第５実施形態）
第５実施形態の印刷システムについて説明する。
【０１２９】
第５実施形態では、結合ページの印刷サイズに応じて給紙トレイ設定処理が行われる場合について説明する。以下においては、第１実施形態と重複する部分の説明は省略し、第１実施形態と異なる部分を中心に説明する。
【０１３０】
第５実施形態に係る印刷システムの基本的な構成は、第１実施形態と同様である。第５実施形態は、第１印刷装置１ａの給紙部１７が、くるみ製本用トレイ（ＰＢトレイ：Ｐｅｒｆｅｃｔ  Ｂｉｎｄｉｎｇ  Ｔｒａｙ）を含むことを前提とする。くるみ製本用トレイ（以下、ＰＢトレイという）は、第１印刷装置１ａの後処理部１９において印刷物の束をくるんで製本するくるみ製本を行う際に、表紙となる用紙が収納される給紙トレイである。なお、第１印刷装置１ａにくるみ製本用トレイが装着されていることは、第１印刷装置１ａの装置情報から確認できる。また、第５実施形態においても、第１、第２および第４実施形態と同様に、ＰＩトレイについては、第１印刷装置１ａに装着されていることを前提とする。
【０１３１】
次に、第５実施形態のクライアント端末２における処理の流れを説明する。
【０１３２】
第５実施形態のクライアント端末２における処理の基本的な流れは、図４のフローチャートに示される第１実施形態のクライアント端末２における処理の流れと同様である。第５実施形態は、図４のステップＳ１１０に示される給紙トレイ設定処理の内容が、第１実施形態とは異なる。
【０１３３】
以下、第５実施形態における給紙トレイ設定処理の流れを説明する。
【０１３４】
図１７は、第５実施形態に係るクライアント端末により実行される給紙トレイ設定処理の流れを示すフローチャートである。
【０１３５】
クライアント端末２は、図４のステップＳ１０９においてページ結合処理を行った後、子ジョブの印刷情報に含まれる結合ページの印刷サイズ情報を確認する（ステップＳ５１１）。
【０１３６】
クライアント端末２は、ステップＳ５１１において確認した結合ページの印刷サイズ情報に基づいて、結合ページの印刷サイズがくるみ製本の表紙用であるか否かを判断する（ステップＳ５１２）。結合ページの印刷サイズがくるみ製本の表紙用であるか否かの判断は、親ジョブのページの給紙方向や、親ジョブのページの印刷サイズと結合ページの印刷サイズとの関係を考慮することにより行う。たとえば、親ジョブのページの給紙方向がＬＥＦ（Ｌｏｎｇ  Ｅｄｇｅ  Ｆｅｅｄ）であり、結合ページの長辺の長さが、親ジョブのページの短辺の２倍に所定の背表紙幅を加えた長さに相当する場合、結合ページの印刷サイズは、くるみ製本の表紙用と判断される。あるいは、親ジョブのページの給紙方向がＳＥＦ（Ｓｈｏｒｔ  Ｅｄｇｅ  Ｆｅｅｄ）であり、結合ページの長辺の長さが、親ジョブのページの長辺の２倍の長さに所定の背表紙幅を加えた長さに相当する場合、結合ページはくるみ製本の表紙用ページと判断される。ここで、ＬＥＦとは、用紙の長辺が用紙の搬送方向における先端の辺となる給紙方向である。また、ＳＥＦとは、用紙の短辺が用紙の搬送方向における先端の辺となる給紙方向である。
【０１３７】
結合ページの印刷サイズがくるみ製本の表紙用である場合（ステップＳ５１２：ＹＥＳ）、クライアント端末２は、予め印刷された結合ページを表紙ページとしてくるみ製本が行われると判断する。したがって、クライアント端末２は、設定部として、図１２に示すようなページ結合設定ダイアログ２５０を表示し（ステップＳ５１３）、結合ページの給紙トレイのデフォルト設定として、ＰＢトレイを自動的に設定する（ステップＳ５１４）。ユーザーは、くるみ製本を行いたくない場合には、デフォルト設定としてＰＢトレイが選択された給紙トレイ設定を、他の給紙トレイを用いる設定に変更できる。
【０１３８】
クライアント端末２は、ユーザーにより設定変更が行われなければ、結合ページの給紙トレイの印刷設定をＰＢトレイに確定する（ステップＳ５１５）。ユーザーにより設定変更が行われれば、クライアント端末２は、変更後の内容で結合ページの印刷設定を確定する。クライアント端末２は、ステップＳ５１９の処理に進む。
【０１３９】
一方、結合ページの印刷サイズがくるみ製本の表紙用でない場合（ステップＳ５１２：ＮＯ）、クライアント端末２は、結合ページが差し込みページ処理によって親ジョブのページに挿入されるものと判断する。したがって、クライアント端末２は、設定部として、図１２に示すようなページ結合設定ダイアログ２５０を表示し（ステップＳ５１６）、結合ページの給紙トレイのデフォルト設定として、ＰＩトレイを自動的に設定する（ステップＳ５１７）。ユーザーは、デフォルト設定としてＰＩトレイが選択された給紙トレイの設定を、他の給紙トレイを用いる設定に変更できる。ステップＳ５１８の処理は、図１１のステップＳ１１３の処理と同様である。
【０１４０】
クライアント端末２は、サムネイル統合部として、結合ページのサムネイル情報を第２印刷装置１ｂから取得し、ページ結合画面２４０のサムネイル表示部２４１において親ジョブのページおよび結合ページのサムネイルをあわせて表示する（ステップＳ５１９）。具体的には、クライアント端末２は、図１３に示すように、親ジョブのページを示すサムネイルの一覧に、結合ページのサムネイルを挿入して表示する。
【０１４１】
以上のように、第５実施形態のクライアント端末２によれば、第１印刷装置１ａにＰＢトレイおよびＰＩトレイが装着されていることを前提とし、子ジョブの印刷情報に基づいて、結合ページの給紙トレイを自動的に設定する。詳細には、第５実施形態のクライアント端末２によれば、結合ページがくるみ製本用のサイズであるか否かを判断し、くるみ製本用のサイズの場合は、結合ページの給紙トレイとしてＰＢトレイを設定し、くるみ製本用のサイズでない場合は、結合ページの給紙トレイとしてＰＩトレイを設定する。これにより、ユーザーが結合ページを親ジョブのページに結合する操作を行うだけで、結合ページの給紙トレイがＰＢトレイに自動設定される。その結果、ユーザーがくるみ製本を行う際に、結合ページの給紙トレイを設定する作業負荷を軽減できる。
【０１４２】
なお、上記第５実施形態では、第１印刷装置１ａにＰＢトレイおよびＰＩトレイが装着されていることを前提として説明した。しかし、第１印刷装置１ａにＰＢトレイおよびＰＩトレイが装着されているかどうかは、第１印刷装置１ａの装置情報を参照することにより確認できる。したがって、クライアント端末２は、子ジョブの印刷情報だけでなく、第１印刷装置１ａの装置情報にも基づいて、結合ページの給紙トレイを自動的に設定することもできる。この場合、クライアント端末２は、印刷情報および装置情報を参照する。そして、結合ページがくるみ製本用のサイズであり、第１印刷装置１ａにＰＢトレイが装着されている場合に、クライアント端末２は、ＰＢトレイを結合ページの給紙トレイに設定する。また、結合ページがくるみ製本用のサイズではなく、第１印刷装置１ａにＰＩトレイが装着されている場合に、クライアント端末２は、ＰＩトレイを結合ページの給紙トレイに設定する。
【０１４３】
上記の説明においては、第１〜第５実施形態において、親ジョブおよび子ジョブが保存されている印刷装置１や、印刷装置１の機能等について各種前提条件を設定して、その前提条件を満たす場合の処理について別個独立した態様として説明した。しかし、第１〜第５実施形態の態様が組み合わせられてもよい。たとえば、第１〜第５実施形態の処理を行う前に、各種前提条件を満たしているか否かの判断を行い、判断の結果により第１〜第５実施形態のうち最適な処理に振り分けてもよい。あるいは、たとえば、第１実施形態の処理と第２実施形態の処理とを組み合わせて、子ジョブが第２印刷装置１ｂに保存されている場合でも、子ジョブが印刷済でなければ、結合ページは親ジョブとあわせて印刷するように設定してもよい。または、第２実施形態の処理と第５実施形態の処理を組み合わせて、同じ印刷装置に保存された子ジョブの結合ページの大きさがくるみ製本用のサイズであれば、結合ページの給紙トレイをＰＢトレイに設定してもよい。
【０１４４】
また、上記の実施形態において、クライアント端末２における処理を実行するためのプログラムは、プリンタードライバーとは別のプログラムとして提供されるものとして説明したが、プリンタードライバーのプログラムに含まれて提供されてもよい。
【０１４５】
また、上記の実施形態において、クライアント端末２によって実行されるものとして説明した給紙トレイ設定処理は、印刷装置１によって実行されてもよく、あるいは、ネットワーク３上に設けられたサーバー等の装置によって実行されてもよい。
【０１４６】
本発明のクライアント端末２による給紙トレイ設定処理は、上記各手順を実行するための専用のハードウエア回路によっても、また、上記各手順を記述したプログラムをＣＰＵが実行することによっても実現することができる。後者により本発明を実現する場合、クライアント端末２を動作させる上記プログラムは、ＵＳＢメモリー、フロッピー（登録商標）ディスクやＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ＲＯＭやハードディスク等に転送され記憶される。また、このプログラムは、たとえば、単独のアプリケーションソフトとして提供されてもよいし、クライアント端末２の一機能としてその装置のソフトウェアに組み込んでもよい。
【符号の説明】
【０１４７】
１、１ａ、１ｂ  印刷装置、
１０  ＣＰＵ、
１１  ＲＯＭ、
１２  ＲＡＭ、
１３  ハードディスク、
１４  ネットワークインターフェース、
１５  操作パネル部、
１６  ＲＩＰ部、
１７  給紙部、
１８  印刷部、
１９  後処理部、
２  クライアント端末、
２０  ＣＰＵ、
２１  ＲＯＭ、
２２  ＲＡＭ、
２３  ハードディスク、
２４  ネットワークインターフェース、
２５  操作部、
２６  表示部、
３  ネットワーク。
【図１】
2015043161.tif 000003
【図２】
2015043161.tif 000004
【図３】
2015043161.tif 000005
【図４】
2015043161.tif 000006
【図１１】
2015043161.tif 000007
【図１４】
2015043161.tif 000008
【図１５】
2015043161.tif 000009
【図１６】
2015043161.tif 000010
【図１７】
2015043161.tif 000011
【図５】
2015043161.tif 000012
【図６】
2015043161.tif 000013
【図７】
2015043161.tif 000014
【図８】
2015043161.tif 000015
【図９】
2015043161.tif 000016
【図１０】
2015043161.tif 000017
【図１２】
2015043161.tif 000018
【図１３】
2015043161.tif 000019